(57)【要約】【課題】車体開口部周縁のコーナー部に取付けても、内装リップに皺が寄らず、確実に内装部材の先端をカバーするオープニングトリムウエザストリップを提供する。【解決手段】オープニングトリムウエザストリップ１０は、取付基部２０と、中空シール部３０を有し、  取付基部２０は、断面略Ｕ字形で、車外側側壁２１、車内側側壁２２及び底壁２３を有する。車内側側壁の外面に車内に取付けられた内装部材５０の先端部をカバーする内装リップ４０を形成し、内装リップは、車内側に円弧状に湾曲して形成され、内装リップ４０の先端部４３は車内側側壁２２の外面に向けて形成され、車内側側壁の外面に、内装リップの先端部４３が向き合う付近に突起部２９を形成した自動車用オープニングトリムウエザストリップである。【選択図】図１
2009078664.tif 000002
【特許請求の範囲】
【請求項１】
自動車の開口部開閉部材と自動車の車体開口部周縁との間をシールするオープニングトリムウエザストリップにおいて、
該オープニングトリムウエザストリップは、上記車体開口部周縁に設けられるフランジに取付けられる取付基部と、該取付基部に一体的に設けられ上記開口部開閉部材に当接して上記開口部開閉部材と上記車体開口部周縁との間をシールする中空シール部を有し、
上記取付基部は、断面略Ｕ字形で、車外側側壁、車内側側壁及び底壁を有し、
上記車内側側壁の外面に車内に取付けられた内装部材の先端部をカバーする内装リップを形成し、該内装リップは、車内側に円弧状に湾曲して形成され、上記内装リップの先端は車内側側壁の外面に向けて形成され、
上記車内側側壁の外面に、上記内装リップの先端が向き合う付近に突起部を形成したことを特徴とする自動車用オープニングトリムウエザストリップ。
【請求項２】
上記突起部は、上記車内側側壁の先端側が斜面状である請求項１に記載の自動車用オープニングトリムウエザストリップ。
【請求項３】
上記突起部は、断面形状が略台形に形成され、上記車内側側壁の先端側と底壁側が斜面状であり、上面が平板状である請求項１又は請求項２に記載の自動車用オープニングトリムウエザストリップ。
【請求項４】
上記取付基部は、ソリッド材で形成され、上記内装リップの先端は、スポンジ材で形成された請求項１乃至請求項３のいずれかに記載の自動車用オープニングトリムウエザストリップ。
【請求項５】
上記内装リップの先端は、上記突起部の最高部との間に若干隙間を有する請求項１乃至請求項４のいずれかに記載の自動車用オープニングトリムウエザストリップ。
【請求項６】
上記突起部に、車内に取付けられた上記内装部材の先端が当接する請求項１乃至請求項５のいずれかに記載の自動車用オープニングトリムウエザストリップ。
【発明の詳細な説明】
【技術分野】
【０００１】
本発明は、自動車開口部開閉部材を開閉する車体開口部開閉部材と車体開口部周縁との間をシールする自動車用のオープニングトリムウエザストリップに関するものである。
【背景技術】
【０００２】
従来、自動車の開口部開閉部材と車体開口部周縁との間のシールは、図５に示すように、車体開口部周縁６のフランジ７に取付けられるオープニングトリムウエザストリップ１１０とによりなされる。
なお、図１に示すように、フランジ７は、車体開口部周縁６を規定しているアウターパネル９の先端と車内側のインナーパネル８の先端等とによって形成されている。
【０００３】
自動車の車体の車体開口部周縁に取付けられるオープニングトリムウエザストリップ１１０は、押出成形により成形され、図５に示すように、トリム部１２０と、中空シール部１３０から構成されている。
トリム部１２０は、車外側側壁１２１、車内側側壁１２２及び、底壁１２３から形成され、車体開口部周縁６に形成されたフランジ７を把持して、オープニングトリムウエザストリップ１１０を車体開口部の全周に亘り保持する。トリム部１２０は、ソリッド材又は微発泡材で形成され、内部にインサート部材が埋設され、内面にはフランジ７を保持する車外側保持リップ１２４と車内側保持リップ１２５が形成され、フランジ７を保持している。
【０００４】
中空シール部１３０は、トリム部１２０の車外側の車外側側壁１２１に一体的に形成され、開口部開閉部材であるバックドアが閉じられたときに、バックドアの外周に当接して、バックドアと車体開口部周縁６との間をシールしている。中空シール部１３０は、ドアフレーム２の凹凸や曲面等の形状に合わせて柔軟に当接し、確実にシールするようにスポンジ材で形成されている。
【０００５】
このオープニングトリムウエザストリップ１１０は、フランジ７に取付けられたときに、車内の内装部品であるガーニッシュ１５０等の先端と当接し、ガーニッシュ１５０等とトリム部１２０との間をシールする中空状の衝合部１２６が形成されているものがある（例えば、特許文献１参照。）。しかし、中空状の衝合部１２６では、変形の自由度が少なく、重量も増加し、スペースも必要であった。
【０００６】
また、図６に示すように、ドアガラス５に当接してシールするルーフウエザストリップ２１０において、車内側側壁２２２の先端に内装リップ２４０を形成し、ガーニッシュ２５０等の先端を当接させて、ガーニッシュ２５０等とルーフウエザストリップ２１０との間をカバーして、シールするものがある（例えば、特許文献２及び３参照。）。しかしながら、ガーニッシュ２５０等の寸法のバラツキや組付け時のバラツキにより、内装リップ２４０とガーニッシュ２５０等の間に隙間や皺が生じて、美観上も好ましくなく、シール性も低下していた。
【０００７】
さらに、図７に示すように、オープニングウエザストリップ３１０に中空シール部３３０とトリム部３２０を設け、そのトリム部３２０の車内側側壁３２２の外面にガーニッシュ３５０等の内装部材に当接する内装リップ３４０を形成し、ガーニッシュ３５０等の先端をカバーするものもある。この場合には、ガーニッシュ３５０等の寸法のバラツキや、組付け時のバラツキがあっても、確実にガーニッシュ３５０等の先端をカバーするためには、内装リップ３４０を長く形成する必要があった。
【０００８】
しかしながら、ガーニッシュ３５０等の先端を確実にカバーするように内装リップ３４０を充分長く形成すると、オープニングウエザストリップ３１０を車体開口部周縁６のコーナー部に取付けた場合には、内装リップ３４０が波打つように皺が寄り、美観上も好ましくなく、シール性も低下していた。
【０００９】
【特許文献１】特開平５−２３８３２８号公報
【特許文献２】特開２０００−２８０８３５号公報
【特許文献３】実開平５−８９０５５号公報
【発明の開示】
【発明が解決しようとする課題】
【００１０】
このため、本発明は、オープニングトリムウエザストリップを車体開口部周縁のコーナー部に取付けても、内装リップに皺が寄らず、確実に内装部材の先端をカバーするオープニングトリムウエザストリップを提供することを目的とするものである。
【課題を解決するための手段】
【００１１】
上記課題を解決するために請求項１の本発明は、自動車の開口部開閉部材と自動車の車体開口部周縁との間をシールするオープニングトリムウエザストリップにおいて、
オープニングトリムウエザストリップは、車体開口部周縁に設けられているフランジに取付けられる取付基部と、取付基部に一体的に設けられ開口部開閉部材に当接して開口部開閉部材と車体開口部周縁との間をシールする中空シール部を有し、
取付基部は、断面略Ｕ字形で、車外側側壁、車内側側壁及び底壁を有し、
車内側側壁の外面に車内に取付けられた内装部材の先端部をカバーする内装リップを形成し、内装リップは、車内側に円弧状に湾曲して形成され、内装リップの先端部は車内側側壁の外面に向けて形成され、
車内側側壁の外面に、内装リップの先端部が向き合う付近に突起部を形成したことを特徴とする自動車用オープニングトリムウエザストリップである。
【００１２】
請求項１の本発明では、オープニングトリムウエザストリップは、車体開口部周縁に設けられているフランジに取付けられる取付基部と、取付基部に一体的に設けられ開口部開閉部材に当接して開口部開閉部材と車体開口部周縁との間をシールする中空シール部を有している。このため、取付基部が車体開口部周縁に取付けられ固定すると、中空シール部が確実に開口部開閉部材に当接して車体開口部周縁と開口部開閉部材の間をシールすることができる。
【００１３】
取付基部は、断面略Ｕ字形で、車外側側壁、車内側側壁及び底壁を有しているため、断面略Ｕ字形の内部にフランジを挿入して、車外側側壁と車内側側壁のそれぞれの内部に形成した保持リップでフランジを挟持して確実に保持することができる。
【００１４】
車内側側壁の外面に、車内に取付けられた内装部材の先端部をカバーする内装リップを形成し、内装リップは、車内側に円弧状に湾曲して形成され、内装リップの先端部は車内側側壁の外面に向けて形成されている。このため、車内側に円弧状に湾曲して形成された内装リップの先端部が、車内に取付けられ、取付基部の車内側側壁に近接して取付けられた内装部材の先端部に弾力性を持って当接することができ、内装部材とオープニングトリムウエザストリップとの間の隙間をカバーして、車内側からの見栄えを向上して、シール性も確保することができる。
内装リップは、円弧状に湾曲しているので、内装部材の形状や寸法に合わせて撓むことができ、内装部材に確実に当接することができる。
【００１５】
車内側側壁の外面に、内装リップの先端部が向き合う付近に突起部を形成したため、内装部材の先端部の位置のバラツキを小さくすることができ、内装部材の先端部に当接する内装リップの長さを短くしても確実に内装部材に当接することができる。そのため、オープニングウエザストリップを車体開口部周縁のコーナー部に取付けた場合には、内装リップが波打つように皺が寄ることがなくなり、美観も向上し、シール性も確保することができる。
【００１６】
請求項２の本発明は、突起部は、車内側側壁の先端側が斜面状である自動車用オープニングトリムウエザストリップである。
【００１７】
請求項２の本発明では、突起部は、車内側側壁の先端側が斜面状であるため、内装部材を取り付けるときに、内装部材の先端部が、突起部の車内側側壁先端側の斜面状の部分を摺動して容易に突起部と内装リップの間に進入することができ、内装部材を取付けることが容易であり、内装リップの先端部が変形することが少ない。
【００１８】
請求項３の本発明は、突起部は、断面形状が略台形に形成され、車内側側壁の先端側と底壁側が斜面状であり、上面が平板状である自動車用オープニングトリムウエザストリップである。
【００１９】
請求項３の本発明では、突起部は、断面形状が略台形に形成され、車内側側壁の先端側と底壁側が斜面状であり、上面が平板状である。このため、突起部の剛性が大きく、突起部に内装部材の先端部が当接しても、突起部が変形することがなく、車内側側壁の先端側の斜面を内装部材の先端部が摺動することができ。
【００２０】
請求項４の本発明は、取付基部は、ソリッド材で形成され、内装リップの先端部は、スポンジ材で形成された自動車用オープニングトリムウエザストリップである。
【００２１】
請求項４の本発明では、取付基部は、ソリッド材で形成されたため剛性が大きく、オープニングウエザストリップをフランジに確実に保持することができる。内装リップの先端部は、スポンジ材で形成されたため、内装リップの先端部は、内装部材の先端部の位置が変化しても、変化に応じて撓むことができ、確実に内装部材の表面に当接してカバーすることができる。
【００２２】
請求項５の本発明は、内装リップの先端部は、突起部の最高部との間に若干の隙間を有する自動車用オープニングトリムウエザストリップである。
【００２３】
請求項５の本発明では、内装リップの先端は、突起部の最高部との間に若干の隙間を有するため、内装部材を装着するときに、内装リップと突起部との間に内装部材の先端部を挿入しやすく、内装リップの先端部が内装部材の先端部により巻き込まれることがなく、確実にカバーすることができる。
【００２４】
請求項６の本発明は、突起部に車内に取付けられた内装部材の先端部が当接する自動車用オープニングトリムウエザストリップである。
【００２５】
請求項６の本発明では、突起部に車内に取付けられた内装部材の先端部が当接するため、内装部材の取付位置がばらついても、突起部で先端の位置を補正することができ、内装リップと内装部材との間の寸法を安定させることができる。
【発明の効果】
【００２６】
本発明では、車内側側壁の外面に車内に取付けられた内装部材の先端部をカバーする、車内側に円弧状に湾曲して形成された内装リップを設け、内装部材の先端部に弾力性を持って当接することができ、内装部材とオープニングトリムウエザストリップとの間の隙間をカバーして、車内側からの見栄えを向上して、シール性も確保することができる。
車内側側壁の外面に、内装リップの先端部が向き合う付近に突起部を形成したため、内装部材の先端部の位置のバラツキを小さくすることができ、内装部材の先端部に当接する内装リップの長さを短くすることができ、車体開口部周縁のコーナー部に取付けた場合には、内装リップが波打つように皺が寄ることがなくなり、美観も向上し、シール性も確保することができる。
【発明を実施するための最良の形態】
【００２７】
本発明の実施の形態を、図１〜図４に基づき説明する。
図１は、本発明の第１の実施の形態のオープニングトリムウエザストリップ１０が図３における車体開口部周縁６に装着された状態の図４におけるＡ−Ａ線に沿った部分の断面図である。図２は、本発明の第２の実施の形態のオープニングトリムウエザストリップ１０のＢ−Ｂ線に沿った部分の断面図である。
図３は自動車の開口部開閉部材であるバックドアを開いた状態において、車体１を後方から見た、車体開口部周縁６を示す斜視図である。図４は、車体開口部周縁６に装着されるオープニングトリムウエザストリップ１０の全体の正面図である。
【００２８】
図３に示すように、自動車の車体１は、車体開口部を有し、その車体開口部は、車体開口部開閉部材であるバックドアにより開閉される。車体開口部の周囲は、車体開口部周縁６を形成し、車体開口部周縁６には、車体１を構成するアウターパネル９とインナーパネル８等の先端が溶接されたフランジ７（図１参照）を備えている。このフランジ７に車体開口部周縁６とドアの外周とドアフレーム２との間をシールするオープニングトリムウエザストリップ１０が装着される。
フランジ７は、車体１の車体開口部周縁６の部位により、溶接されるパネルの数が２枚〜８枚程度まで変化する。
【００２９】
オープニングトリムウエザストリップ１０は、押出成形により直線状に押出成形部１２として成形される。この直線状に形成された１本のオープニングトリムウエザストリップ１０は、図４に示すように、車体開口部周縁６の形状に沿って、環状となるようにフランジ７に装着される。装着は、オープニングトリムウエザストリップ１０の押出成形部１２の一方の端末から順次、フランジ７に装着され、装着が完了すると、他方の端末が一方の端末と接合することとなる。押出成形部１２の端末は、接続部により型接合されて環状に形成されていてもよい。
また、オープニングトリムウエザストリップ１０の押出成形部１２の端末同士を装着前に接着剤で接着して環状にしてもよい。
【００３０】
次に、図１に基づき、本発明の実施の形態の車体１の上辺に取付けられたオープニングトリムウエザストリップ１０の断面形状について説明する。
オープニングトリムウエザストリップ１０は、フランジ７に取付けられる、断面略Ｕ字形のトリム部（取付基部）２０と、トリム部２０から一体的に形成され、バックドアのドアフレーム２の膨出部２ａに当接して、ドアと車体開口部周縁６との間をシールする中空状の中空シール部３０を有する。
【００３１】
トリム部２０は、車外側側壁２１、車内側側壁２２と底壁２３からなり、断面略Ｕ字形に形成されている。トリム部２０の内部には、フランジ７を把持する強度を増加させるためにインサート部材２６が埋設されている。インサート部材２６は、板金や硬質樹脂で形成され、コーナー部に取付けられるときの柔軟性を確保するため、梯子状や、魚の骨状、ジグザグ状等に形成されている。
トリム部２０はゴム又は熱可塑性エラストマー等のソリッド材でインサート部材２６を被覆して形成されている。
【００３２】
車外側側壁２１の内面には、車外側保持リップ２４が複数本形成されている。車内側側壁２２は、同様に内面に車内側保持リップ２５が複数本形成されている。
フランジ７が断面略Ｕ字形のトリム部２０内に挿入されたときに、車外側保持リップ２４と車内側保持リップ２５がフランジ７の両側の側面に当接して、フランジ７を保持することができる。車外側保持リップ２４と車内側保持リップ２５のそれぞれの先端は、フランジ７を保持し易いように先端が屈曲している。
【００３３】
車内側側壁２２の外面の底壁２３との連結部分に近接した部分に内装リップ４０を形成した。内装リップ４０は、車内に取付けられた内装部材であるガーニッシュ５０の先端部をカバーする
内装リップ４０の全体形状は、車内側に膨らんだ円弧状に湾曲して形成され、根元部４１は厚肉に形成され、中央部４２は最も車内側に膨らんでいる。内装リップ４０の先端部４３は、湾曲して車内側側壁２２の外面に向けて形成されている。
【００３４】
車内に取付けられ、トリム部２０の車内側側壁２２に近接して取付けられたガーニッシュ５０の先端部に、車内側に円弧状に湾曲して形成された内装リップ４０の先端部４３が、弾力性を持って当接する。このため、ガーニッシュ５０とオープニングトリムウエザストリップ１０との間の隙間をカバーして、車内側からの見栄えを向上して、シール性も確保することができる。
【００３５】
車内側側壁２２の外面に、内装リップ４０の先端部４３が向き合う付近、即ち、車内側側壁２２の先端側に突起部２９を形成した。
突起部２９は、断面形状が略台形に形成されることが好ましい。この場合は、車内側側壁２２の先端側の前斜面２９ａと底壁側の後斜面２９ｃが斜面状であり、上平面２９ｂが平板状である。この場合は、突起部２９の全体が肉厚であり、剛性が大きく、突起部２９に内装部材であるガーニッシュ５０の先端部が当接しても、突起部２９が変形することがない。
【００３６】
突起部２９の車内側側壁２２の前斜面２９ａが斜面状であるときは、ガーニッシュ５０を取り付けるときに、ガーニッシュ５０の先端部が、突起部２９の前斜面２９ａを摺動して容易に突起部２９に乗り上げて、内装リップ４０と突起部２９との間に進入することができ、ガーニッシュ５０を取付けることが容易であり、内装リップ４０の先端部４３がガーニッシュ５０により巻き込まれて変形することが少ない。
【００３７】
内装リップ４０の先端部４３は、突起部２９の最高部である上平面２９ｂとの間に若干の隙間を有することが好ましい。この場合には、ガーニッシュ５０を装着するときに、内装リップ４０と突起部２９との間にガーニッシュ５０の先端部を挿入しやすく、内装リップ４０がガーニッシュ５０の先端部を確実にカバーすることができる。
【００３８】
車内側側壁２２の外面に、内装リップ４０の先端部４３が向き合う付近に突起部２９を形成したため、ガーニッシュ５０を取付けたときに、ガーニッシュ５０の寸法や組付け寸法がばらついても、ガーニッシュ５０の先端部の裏面が突起部２９で保持されたり、図１の点線で示すようにその先端が突起部２９に当接して保持されたりすることができるため、ガーニッシュ５０の先端の位置のバラツキが少なくなる。このため、ガーニッシュ５０の先端に当接する内装リップ４０の全体の長さを短くすることができる。
【００３９】
そうすると、オープニングトリムウエザストリップ１０を車体開口部周縁６のコーナー部に取付けた場合には、内装リップ４０が波打つように皺が寄ることがなくなり、美観も向上し、シール性も確保することができる。
【００４０】
車内側側壁２２の先端は、スポンジゴムで形成され、トリム部２０にフランジ７が挿入されたときは、スポンジゴムで形成された先端がインナーパネル８に当接し、インナーパネル８との間をシールしている。
【００４１】
車外側側壁２１の先端には車内側方向の斜めに車外側シールリップ２８が形成されている。車外側シールリップ２８は、トリム部２０がフランジ７に取付けられたときにアウターパネル９に当接し、トリム部２０とアウターパネル９との間をシールすることができる。
【００４２】
さらに、車外側側壁２１の先端には車外側方向の斜めに車外側カバーリップ２７が形成されている。車外側カバーリップ２７は、トリム部２０がフランジ７に取付けられたときにアウターパネル９に当接し、トリム部２０とアウターパネル９との間をシールするとともに、後述する中空シール部３０がドアフレーム２等に当接して、トリム部２０が車外側に倒れる方向に傾いた場合にトリム部２０が倒れることを防止して、中空シール部３０の位置を保持し、中空シール部３０のシール性を確保することができる。
【００４３】
本発明に実施の形態では、トリム部２０の底壁２３の外面に、中空シール部３０が一体的に設けられている。
中空シール部３０は、スポンジ材から形成され、その先端は、それぞれ底壁２３の外面から一体的に延設されている。
【００４４】
中空シール部３０は、スポンジ材から形成され、中空シール部３０の表面には、ソリッド材で形成された皮膜を形成しても良い。この場合は、表面が円滑になり見栄えが良い。
中空シール部３０は、ドア閉時にはドアフレーム２に当接するように、スポンジ材から形成されているため、柔軟性に富み、ドア閉時にドアフレーム２の凹凸や曲がり形状に合わせて柔軟に当接し、シール性を確保することができる。
【００４５】
次に、図２に基づき、本発明の実施の形態の車体１の縦辺部に取付けられたオープニングトリムウエザストリップ１０について説明する。図２は、図４のＢ−Ｂ線に沿った部分の断面図である。この実施の形態は、図１の実施の形態とは、ガーニッシュ５０が突起部２９に当接する形態が異なり、オープニングトリムウエザストリップ１０の形状は同様である。このため、異なる部分を説明し同様な部分の説明を省略する。
【００４６】
縦辺部では、図２に示すように、ガーニッシュ５０の先端部分が屈曲して、その先端面が突起部２９の上平面２９ｂに当接している。このため、ガーニッシュ５０の先端が寸法や組付けのばらつきにより、その位置がばらついても突起部２９により先端が保持されて、位置が安定するため、内装リップ４０の先端部４３はガーニッシュ５０の先端部分に確実に当接することができる。
【００４７】
オープニングトリムウエザストリップ１０において、中空シール部３０や内装リップ４０の先端部４３は、ＥＰＤＭゴム又はオレフィン系熱可塑性エラストマーのスポンジ材で形成され、トリム部（取付基部）２０のソリット材の部分は、ＥＰＤＭゴム又はオレフィン系熱可塑性エラストマーのソリッド材または微発泡材で形成されると、耐候性のよい製品を得ることができる。また、この場合は、オープニングトリムウエザストリップ１０は全体としてオレフィン系でありそのまま一緒に粉砕等を行い、リサイクルして使用することができる。
【００４８】
次に、オープニングトリムウエザストリップ１０の製造方法を説明する。
このオープニングトリムウエザストリップ１０は、押出成形により成形され、トリム部２０と、インサート部材２７と中空シール部３０を構成するスポンジ材を押出成形機で一体に押出すことができる。
その後、ゴムの場合は、通常の方法により加硫、切断され、熱可塑性エラストマーの場合は、すぐに切断される。
【図面の簡単な説明】
【００４９】
【図１】本発明の第１の実施の形態であるオープニングトリムウエザストリップが図４におけるＡ−Ａ線に沿った部分の断面図である。
【図２】本発明の第２の実施の形態であるオープニングトリムウエザストリップが図４におけるＡ−Ａ線に沿った部分の断面図である。
【図３】自動車のバックドアを開いた状態における後方から見た斜視図である。
【図４】本発明の実施の形態であるドアオープニングトリムウエザストリップの正面図である。
【図５】従来のドアオープニングトリムウエザストリップの断面図である。
【図６】従来の他のドアオープニングトリムウエザストリップの断面図である。
【図７】従来の他のドアオープニングトリムウエザストリップの断面図である。
【符号の説明】
【００５０】
６  車体開口部周縁
７  フランジ
１０  ドアオープニングトリムウエザストリップ
２０  トリム部（取付基部）
２１  車外側側壁
２２  車内側側壁
２３  底壁
２９  突起部
３０  中空シール部
５０  ガーニッシュ（内装部材）
【図１】
2009078664.tif 000003
【図２】
2009078664.tif 000004
【図３】
2009078664.tif 000005
【図４】
2009078664.tif 000006
【図５】
2009078664.tif 000007
【図６】
2009078664.tif 000008
【図７】
2009078664.tif 000009